(57)【要約】【課題】必要な時にのみ容器から芳香が排出されるとともに、室内に効果的に芳香を行き渡らせることができる芳香剤容器を提供する。【解決手段】室内ＲＩのドア２２付近に配置される芳香剤容器１０において、芳香剤２０を内部に収容可能な収容部１１と、前記収容部１１の内部１１ｃと連通する吸気口１３を形成した吸気部１２と、前記収容部１１の内部１１ｃと連通する排気口１５を形成した排気部１４と、を備えるようにした。また、前記吸気口１３または前記排気口１５の少なくともいずれかが、床面２１と前記ドア２２下部との間の間隙から流入する空気の流通路Ｐに向けて開口するようにした。【選択図】図４
2013102980.tif 000002
【特許請求の範囲】
【請求項１】
室内のドア付近に配置される芳香剤容器であって、
芳香剤を内部に収容可能な収容部と、
前記収容部の内部と連通する吸気口を形成した吸気部と、
前記収容部の内部と連通する排気口を形成した排気部と、
を備え、
前記吸気口または前記排気口の少なくともいずれかが、床面と前記ドア下部との間の間隙から流入する空気の流通路に向けて開口していることを特徴とする、芳香剤容器。
【請求項２】
前記吸気口は、前記空気の流通路において室外側に向けて開口していることを特徴とする、請求項１記載の芳香剤容器。
【請求項３】
前記排気口は、前記空気の流通路において室内側に向けて開口していることを特徴とする、請求項１又は２記載の芳香剤容器。
【請求項４】
前記ドアの下縁を狭持するための狭持部を備え、この狭持部が前記ドアの下縁を狭持することにより前記ドアの下部に固定されることを特徴とする、請求項１〜３のいずれかに記載の芳香剤容器。
【発明の詳細な説明】
【技術分野】
【０００１】
この発明は、芳香剤容器に関し、特に、必要な時にのみ容器から芳香が排出される芳香剤容器に関するものである。
【背景技術】
【０００２】
従来、様々な芳香剤容器が実用に供されている。例えば、特許文献１には、内部に揮散成分を揮散しつつ水分を分離しながら収縮するゲル状芳香剤を収容した箱状の芳香剤容器が開示されている。こうした芳香剤容器は、表面開口から外部の空気が内部に流れ込み、この空気が芳香剤の周囲を流通することで芳香を放出するようになっている。
【０００３】
また、このような芳香剤容器としてトイレ用のものが一般に使用されている。トイレ用の芳香剤容器は、例えばトイレ内の換気扇によって空気が吸い込まれることによって生まれる気流によって芳香を放出する。
【先行技術文献】
【特許文献】
【０００４】
【特許文献１】特開２０１０−２５３０５４号公報
【発明の概要】
【発明が解決しようとする課題】
【０００５】
しかし、上記したような従来のトイレ用の芳香剤容器では、芳香剤が常時気化してトイレ内に放出されており、人がトイレを利用していないときでも芳香を出すという無駄があった。また、芳香剤が常時気化して放出されることで、トイレ内に必要以上の芳香が充満し、芳香剤の匂いが強すぎるという問題があった。
【０００６】
また、このような芳香剤容器を邪魔にならない便器裏の床などに置いた場合、換気扇が始動したときに床に置かれた芳香剤容器から発生する芳香は、換気扇によって空気が吸い込まれることによって生まれる気流に沿って直線的に換気扇に向かって流れて外に排出されるため、必ずしもトイレ室内に効果的に行き渡らないという問題があった。
【０００７】
そこで、本発明は、必要な時にのみ容器から芳香が排出されるとともに、室内に効果的に芳香を行き渡らせることができる芳香剤容器を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の芳香剤容器は、室内のドア付近に配置される芳香剤容器であって、芳香剤を内部に収容可能な収容部と、前記収容部の内部と連通する吸気口を形成した吸気部と、前記収容部の内部と連通する排気口を形成した排気部と、を備え、前記吸気口または前記排気口の少なくともいずれかが、床面と前記ドア下部との間の間隙から流入する空気の流通路に向けて開口していることを特徴とする。
【００１１】
（請求項２）
請求項２に記載の発明は、上記した請求項１記載の発明の特徴点に加え、以下の点を特徴とする。
【００１２】
すなわち、前記吸気口は、前記空気の流通路において室外側に向けて開口していることを特徴とする。
【００１３】
（請求項３）
請求項３に記載の発明は、上記した請求項１又は２記載の発明の特徴点に加え、以下の点を特徴とする。
【００１４】
すなわち、前記排気口は、前記空気の流通路において室内側に向けて開口していることを特徴とする。
【００１５】
（請求項４）
請求項４に記載の発明は、上記した請求項１〜３のいずれかに記載の発明の特徴点に加え、以下の点を特徴とする。
【００１６】
すなわち、前記ドアの下縁を狭持するための狭持部を備え、この狭持部が前記ドアの下縁を狭持することにより前記ドアの下部に固定されることを特徴とする。
【発明の効果】
【００１７】
請求項１に記載の発明は上記の通りであり、前記吸気口または前記排気口の少なくともいずれかが、床面と前記ドア下部との間の間隙から流入する空気の流通路に向けて開口しているため、床面と前記ドア下部との間の間隙に発生する気流を利用して効率的に芳香を室内に分布させることができる。
【００１８】
特に、この芳香剤容器をトイレに配置した場合には、ほとんどの集合住宅ではトイレの天井近くに換気扇が設置されており、トイレ室内への空気の取り込みのためにドアの下部に間隙が開いているため、ドア下部付近から放出された芳香が天井近くの換気扇まで気流に乗って流れ、トイレ室内全体に芳香を行き渡らせることができる。
【００１９】
そして、換気扇が止まれば（すなわち、臭いが消えて換気が必要なくなれば）芳香の放出も止まるため、無駄な芳香の放出がされず、室内に必要以上の芳香が充満することもない。しかも、このような効果を、光センサーなど電子回路や、芳香の排出のための能動的な機構部品、ガスなどを必要とせずに実現することができる。
【００２０】
また、請求項２に記載の発明は上記の通りであり、前記吸気口は、前記空気の流通路において室外側に向けて開口している。このため、室外から室内へと空気が流れ込んだときに、この流れ込んだ空気が吸気口を通って芳香剤を収容した収容部の内部に流れ込むので、芳香剤の周囲に空気の流れが発生して芳香を放出させることができる。
【００２１】
また、請求項３に記載の発明は上記の通りであり、前記排気口は、前記空気の流通路において室内側に向けて開口している。このため、排気口は、室外から室内へと流れ込む空気の流れを妨げないようになっている。しかも、排気口が空気の流通路に配置されているため、ドア下部の間隙から流入する空気が排気口の近傍を通過する際に排気口に対し負圧を発生させ、その負圧により容器内の空気を外に排出することができ、芳香を放出させることができる。
【００２２】
また、請求項４に記載の発明は上記の通りであり、前記ドアの下縁を狭持するための狭持部を備え、この狭持部が前記ドアの下縁を狭持することにより前記ドアの下部に固定される。このため、芳香剤容器を床に置く必要がないので、床掃除の際などに邪魔になることがない。
【図面の簡単な説明】
【００２３】
【図１】芳香剤容器を上から見た斜視図である。
【図２】芳香剤容器の下から見た斜視図である。
【図３】芳香剤容器の（ａ）側面図、（ｂ）正面図、（ｃ）背面図である。
【図４】ドア付近の空気の流れを説明する断面図である。
【図５】芳香剤容器の取り付け例を示す図である。
【図６】変形例に係る芳香剤容器の取り付け例を示す図である。
【図７】変形例に係る芳香剤容器の斜視図である。
【図８】変形例に係る芳香剤容器（ａ）側面図、（ｂ）正面図、（ｃ）平面図である。
【発明を実施するための形態】
【００２４】
本発明の実施形態について、図を参照しながら説明する。なお、以下の説明においては、芳香剤容器１０を室内ＲＩに設置したときに、室内ＲＩに臨む側の面を前面、その裏側の面を背面として説明する。
【００２５】
本実施形態に係る芳香剤容器１０は、内部に芳香剤２０を収容してトイレなどの室内に配置され、室内に芳香を放出するものである。
【００２６】
この芳香剤容器１０は、室内ＲＩのドア２２付近に配置されるものであって、図１〜４に示すように、芳香剤２０を内部１１ｃに収容可能な収容部１１と、前記収容部１１の内部１１ｃと連通する吸気口１３を形成した吸気部１２と、前記収容部１１の内部１１ｃと連通する排気口１４を形成した排気部１５と、前記ドア２２の下縁を狭持するための狭持部１４を備えている。
【００２７】
収容部１１は、箱形形状をしており、内部１１ｃに芳香剤２０を収容するための空間を有している。なお、特に図示しないが、この収容部１１を２つ以上の部材から構成し、この２つ以上の部材を結合させるなどして収容部１１を形成してもよい。例えば、収容部１１を、本体部と蓋部とから構成し、蓋部を本体部から取り外すことで内部１１ｃに収容した芳香剤２０を交換可能とし、芳香剤２０を交換後に再び蓋部を本体部に取り付けることで収容部１１を閉じるようにしてもよい。
【００２８】
吸気部１２は、収容部１１の下面１１ａにおいて下方に突出するように収容部１１に一体的に形成された部位である。この吸気部１２は、後述する狭持溝１６ｃと平行に筋状に設けられている。この吸気部１２は、前面１２ａが曲面となっており、また、背面１２ｂが鉛直な面となっている。なお、この鉛直な背面１２ｂには、収容部１１の背面側に向けて開口する吸気口１３が形成されている。
【００２９】
排気部１４は、上記した吸気部１２と同様に、収容部１１の下面１１ａにおいて下方に突出するように収容部１１に一体的に形成された部位である。この排気部１４も、後述する狭持溝１６ｃと平行に筋状に設けられており、上記した吸気部１２よりも前方に配置されている。この排気部１４は、前面１４ａが鉛直な面となっており、また、背面１４ｂが曲面となっている。なお、鉛直な前面１４ａには、収容部１１の前面側に向けて開口する排気口１５が形成されている。
【００３０】
狭持部１４は、ドア２２の下縁２２ａを狭持するための部位であり、収容部１１の背面１１ｂにおいて後方に突出するように収容部１１に固定された部位である。この狭持部１４は、上向きに開口したコ字状であり、収容部１１の背面１１ｂに固定された第１垂直板部１６ａと、この第１垂直板部１６ａの下端から水平方向に延設された水平板部１６ｂと、この水平板部１６ｂの端部から上向きに延設された第２垂直板部１６ｃと、を備えている。これにより、狭持部１４は、収容部１１の背面１１ｂに上向きに開口した狭持溝１６ｄを形成している。
【００３１】
この芳香剤容器１０は、図４及び図５に示すように、上記した狭持部１４がドア２２の下縁２２ａを狭持することにより、ドア２２の下部に固定される。詳しくは、トイレなどの室内においては、室内ＲＩへの空気の取り込みのためにドア２２の下部に間隙が開いているため、この間隙を利用して芳香剤容器１０が取り付けられる。
【００３２】
このとき、芳香剤容器１０の下部に突出した吸気部１２及び排気部１４は、ドア２２の下端よりも下方に突出しているため、吸気口１３及び排気口１５もドア２２の下端よりも下方において開口している。このため、吸気口１３及び排気口１５は、床面２１とドア２２下部との間の間隙から流入する空気の流通路Ｐに向けて開口することとなっている。
【００３３】
すなわち、図５に示すように、室内ＲＩの天井付近に設けられた換気扇２３が作動して空気が吸い込まれると、室内ＲＩの気圧が下がるので、床面２１とドア２２下部との間の間隙から空気が流入する。この床面２１とドア２２下部との間の間隙から流入する空気の流通路Ｐに臨むように吸気口１３及び排気口１５が設けられている。
【００３４】
このとき、吸気口１３は、図４に示すように、空気の流通路Ｐにおいて室外ＲＯ側に向けて開口している。このため、室外ＲＯから室内ＲＩへと空気が流れ込んだときに、この流れ込んだ空気が吸気口１３を通って芳香剤２０を収容した収容部１１の内部１１ｃに流れ込むので、芳香剤１１の周囲に空気の流れが発生して芳香剤１１を気化させ、芳香を放出させることができる。
【００３５】
また、排気口１５は、空気の流通路Ｐにおいて室内ＲＩ側に向けて開口している。このため、吸気口１３から収容部１１の内部１１ｃへと流れ込んだ空気は、排気口１５を通って室内ＲＩへと放出される。
【００３６】
また、排気口１５が室内ＲＩ側に向けて開口しており、また、排気部１４の室外ＲＯ側の面（背面１４ｂ）が曲面であり、更に、空気の流通路Ｐの上流側から見たときに排気部１４が吸気部１２に隠れる位置にあるため、排気口１５は室外ＲＯから室内ＲＩへと流れ込む空気の流れを妨げないようになっている。
【００３７】
しかも、この排気口１５が空気の流通路Ｐに配置されているため、ドア２２下部の間隙から流入する空気が排気口１５の近傍を通過する際に排気口１５に対し負圧を発生させ、その負圧により芳香剤容器１０内の空気が外に排出されるようになっており、吸気口１３から流れ込む空気の圧力と併せて効果的に芳香を放出させることができる。
【００３８】
上記した芳香剤容器１０によれば、吸気口１３及び排気口１５が、床面２１とドア２２下部との間の間隙から流入する空気の流通路Ｐに向けて開口しているため、床面２１とドア２２下部との間の間隙に発生する気流を利用して効率的に芳香を室内に分布させることができる。
【００３９】
特に、この芳香剤容器１０をトイレに配置した場合には、ほとんどの集合住宅ではトイレの天井近くに換気扇２３が設置されており、トイレ室内ＲＩへの空気の取り込みのためにドア２２の下部に間隙が開いているため、ドア２２下部付近から放出された芳香が天井近くの換気扇２３まで気流に乗って流れ、トイレ室内全体に芳香を行き渡らせることができる。
【００４０】
そして、換気扇２３が止まれば（すなわち、臭いが消えて換気が必要なくなれば）芳香の放出も止まるため、無駄な芳香の放出がされず、室内ＲＩに必要以上の芳香が充満することもない。しかも、このような効果を、光センサーなど電子回路や、芳香の排出のための能動的な機構部品、ガスなどを必要とせずに実現することができる。
【００４１】
また、芳香剤容器１０は、狭持部１６がドア２２の下縁を狭持することによりドア２２の下部に固定されるため、芳香剤容器１０を床に置く必要がないので、床掃除の際などに邪魔になることがない。
【００４２】
なお、上記実施形態においては、狭持部１６で狭持することで芳香剤容器１０をドア２２に固定することとしたが、本発明の実施形態としてはこれに限らない。例えば、芳香剤容器１０をドア２２に接着により固定するなどの他の固定方法を用いてもよい。例えば、上記実施形態の狭持部１６を収容部１１から取り外し可能に形成し、狭持部１６の代わりに両面テープなどを設けるようにしてもよい。
【００４３】
また、芳香剤容器１０をドア２２に固定せずに、ドア２２周囲の壁面に固定したり、ドア２２近傍の床面２１に設置したりしてもよい。例えば、図６〜８に示すような芳香剤容器１０を使用してもよい。
【００４４】
この図６〜８に示す芳香剤容器１０は本実施形態の一つの変形例である。
【００４５】
この芳香剤容器１０は、管状の吸気部１２及び排気部１４を備えている。この管状の吸気部１２及び排気部１４は、芳香剤容器１０の同じ側面から同じ方向に同じ長さで突出している。また、吸気部１２の先端には吸気部１２の長手方向と直交する方向に向けて吸気口１３が開口しており、排気部１４の先端にも排気部１４の長手方向と直交する方向に向けて排気口１５が開口している。この吸気口１３と排気口１５とは互いに逆方向に向けて開口している。
【００４６】
この芳香剤容器１０は、図６に示すように、吸気口１３が室外ＲＯ側に、排気口１５が室内ＲＩ側に開口するように、室内ＲＩのドア２２下部近傍に配置される。例えば、ドア２２下部近傍の壁面に固定されたり、ドア２２下部近傍の床面２１に置かれたりする。このとき、吸気部１２及び排気部１４の先端が、床面２１とドア２２下部との間の間隙にまで延設される。このような芳香剤容器１０を使用すれば、ドア２２に直接芳香剤容器１０を固定しなくても、吸気口１３や排気口５を空気の流通路Ｐに向けて開口させることができる。
【００４７】
なお、上記実施形態においては、吸気口１２と排気口１４との両方が空気の流通路Ｐに向けて開口している態様について説明したが、これに限らず、吸気口１２または排気口１４のいずれかのみが空気の流通路Ｐに向けて開口している形状としてもよい。
【００４８】
また、芳香剤容器１０の表面をドア２２と同じような木目模様のフィルムで覆い、違和感をなくすような意匠にしてもよい。
【符号の説明】
【００４９】
１０  芳香剤容器
１１  収容部
１１ａ  下面
１１ｂ  背面
１１ｃ  内部
１２  吸気部
１２ａ  前面
１２ｂ  背面
１３  吸気口
１４  排気部
１４ａ  前面
１４ｂ  背面
１５  排気口
１６  狭持部
１６ａ  第１垂直板部
１６ｂ  水平板部
１６ｃ  第２垂直板部
１６ｄ  狭持溝
２０  芳香剤
２１  床面
２２  ドア
２２ａ  下縁
２３  換気扇
２４  壁面
ＲＩ  室内
ＲＯ  室外
Ｐ  空気の流通路
【図１】
2013102980.tif 000003
【図２】
2013102980.tif 000004
【図３】
2013102980.tif 000005
【図４】
2013102980.tif 000006
【図５】
2013102980.tif 000007
【図６】
2013102980.tif 000008
【図７】
2013102980.tif 000009
【図８】
2013102980.tif 000010